(57)【要約】【課題】強度が高いハンドル取付構造を提供する。【解決手段】基体の表面に表面カバー（上面カバー２９）を取り付け、該表面カバーに設けた略凹字形状をなすハンドル収容部３２に、把持用のハンドル３５を回転可能に収容したハンドル取付構造において、前記表面カバーのハンドル収容部３２の両端に前記ハンドル３５の両端を貫通する貫通孔３３を設けるとともに、前記基体１９に前記貫通孔３３と対応する軸受部２１Ａ，２１Ｂを設ける。【選択図】図１
2006142213.tif 000002
【特許請求の範囲】
【請求項１】
基体の表面に表面カバーを取り付け、該表面カバーに設けた略凹字形状をなすハンドル収容部に、把持用のハンドルを回転可能に収容したハンドル取付構造において、
前記表面カバーのハンドル収容部の両端に前記ハンドルの両端を貫通する貫通孔を設けるとともに、前記基体に前記貫通孔と対応する軸受部を設けたことを特徴とするハンドル取付構造。
【請求項２】
前記ハンドルの両端の取付部は、該ハンドルの直立状態で下向きに傾斜して前記軸受部の軸を挿通する挿通溝を有することを特徴とする請求項１に記載のハンドル取付構造。
【請求項３】
前記基体に複数の負荷部品が固定されていることを特徴とする請求項１または請求項２に記載のハンドル取付構造。
【発明の詳細な説明】
【技術分野】
【０００１】
本発明は、ハンドル取付構造に関し、特に、除湿機などの重量が重い電気製品に好適であるハンドル取付構造に関するものである。
【背景技術】
【０００２】
多くの電気製品は、持ち運びを便利にするためにハンドルが取り付けられている。このハンドルの取付構造としては、電気製品の外装体において、上面に平面視略凹字形状をなし、下向きに窪んだハンドル収容部を形成し、そのハンドル収容部の両端に形成した軸受部にハンドルの両端を回転可能に軸着する構成としている。また、電気製品の上面に操作手段や表示手段を配設する表面カバーを配設する構成の場合、その外装体において対向する両側壁に軸受部を設け、電気製品を跨ぐようにして前記軸受部にハンドルを軸着する構成としている。
【０００３】
本発明のハンドル取付構造に関連する先行技術文献情報としては次のものがある。
【０００４】
【特許文献１】特開平５−１４１７０４号公報
【０００５】
この特許文献１には、底板と前ケースと後ケースとからなる本体を備え、これらで囲まれた内部空間を除湿通路と再生通路とに区画した除湿機が記載されている。この除湿機は、除湿機を構成する各負荷部品が前記前ケースに配設され、後ケースをネジ止めすることにより固定している。また、前ケースの上面には、入力手段であるスイッチパネルが配設されている。そして、この除湿機を持ち運ぶためのハンドルは、前記後ケースに形成した枢支部に枢支されている。
【０００６】
しかしながら、この特許文献１の構成を含む従来のハンドル取付構造は、所謂表面を覆うことが主目的であるカバー部材にハンドルの軸受部を設けているため、この軸受部の強度が弱く、破損し易いという問題がある。また、特許文献１の取付構造では、ハンドルを把持して持ち上げると、カバー部材である後ケースには、軸受部に大きな負荷が加わるのみならず、複数の負荷部品を取り付けることによる重量が重い前カバーを一体的に持ち上げる必要があるため、その固定部分（ネジ止め部）にも大きな負荷が加わり、破損する可能性があるという問題がある。
【発明の開示】
【発明が解決しようとする課題】
【０００７】
本発明では、特に重量が重い製品に好適であり、強度が高いハンドル取付構造を提供することを課題とするものである。
【課題を解決するための手段】
【０００８】
前記課題を解決するため、本発明のハンドル取付構造は、基体の表面に表面カバーを取り付け、該表面カバーに設けた略凹字形状をなすハンドル収容部に、把持用のハンドルを回転可能に収容したハンドル取付構造において、前記表面カバーのハンドル収容部の両端に前記ハンドルの両端を貫通する貫通孔を設けるとともに、前記基体に前記貫通孔と対応する軸受部を設けた構成としている。
【０００９】
このハンドル取付構造では、前記ハンドルの両端の取付部は、該ハンドルの直立状態で下向きに傾斜して前記軸受部の軸を挿通する挿通溝を有することが好ましい。
また、前記基体に複数の負荷部品が固定されていることが好ましい。
【発明の効果】
【００１０】
本発明のハンドル取付構造では、ハンドルを軸着するための軸受部を、複数の負荷部品を固定するための基体に設けるため、該軸受部の強度を十分に確保することができる。そして、この重量物である基体を直接的に持ち上げる構成としているため、表面カバーに余計な負荷が加わることを防止できる。その結果、基体と表面カバーとの固定部分に不要な負荷が加わることを防止でき、破損の問題を確実に防止できる。また、ハンドル収容部を設けた表面カバーはハンドルを軸支する必要がないため、基体に対してネジ止めなどによる取付強度を向上するための構造は不要である。そのため、着脱作業性を向上でき、メンテナンス時の作業性をも向上することができる。
【発明を実施するための最良の形態】
【００１１】
以下、本発明の実施の形態を図面に従って説明する。
【００１２】
図１は、本発明の実施形態に係るハンドル取付構造を適用した除湿機を示す。この除湿機は、図２に示すように、大略、矩形状をなす除湿機本体１０の内部を除湿通路１１と再生通路１２とに区画し、その内部に、除湿手段を構成する除湿ロータ１３、再生空気循環ファン１４、加熱ヒータ１５および熱交換器１６と、送風手段を構成する室内空気循環ファン１７とを水平方向に配設するとともに、下部にタンク１８を配設したものである。
【００１３】
この除湿機には、図示しない制御基板に実装した制御手段であるマイコンにより、予め記憶されたプログラムに従って前記各構成部品が動作される。そして、前記室内空気循環ファン１７により除湿機本体１０内に吸引した空気は、除湿通路１１に配設した熱交換機の周囲を通過する際に高温の再生空気と熱交換することにより加熱された後、除湿ロータ１３を通過する際に含有した水分が除去され、この乾燥空気の状態で室内に循環供給される。また、再生通路１２内の再生空気は、再生空気循環ファン１４により循環され、加熱ヒータ１５で加熱され、除湿ロータ１３を通過する際に該除湿ロータ１３が吸着した水分を吸着した後、熱交換機で外気との熱交換で冷却されることにより含有した水分を放出し、再び加熱ヒータ１５へと供給される。
【００１４】
前記除湿機本体１０は、図１および図３に示すように、基体１９の表面に、表面カバーである前カバー２４、左カバー２５、右カバー２７および上面カバー２９を配設するとともに、下カバー４１および底部材４２を配設したものである。
【００１５】
前記基体１９は、負荷部品である前記除湿ロータ１３、再生空気循環ファン１４、加熱ヒータ１５、熱交換器１６および室内空気循環ファン１７を固定するとともに、再生通路１２を区画するための区画部材（図示せず）を固定するものである。なお、図１において、符号２０は、前記室内空気循環ファン１７が内部に配設されるインボリュート通路を構成する隔壁である。この基体１９の上面には、後述する上面カバー２９のハンドル収容部３２の両端に位置する軸受部２１Ａ，２１Ｂが設けられている。各軸受部２１Ａ，２１Ｂは、それぞれ一対に立設された支持壁２２を備え、これら支持壁２２にかけて金属製の軸部材２３が配設されている。
【００１６】
前記前カバー２４は、基体１９の前部において、タンク１８の上方を覆うものである。
【００１７】
前記左カバー２５は、前記基体１９の左側部から後側部の中央にかけて略Ｌ字形状に覆うことにより、基体１９の左側部に形成した隔壁２０の先端を閉塞するもので、その上部には複数の吹出口２６が設けられている。
【００１８】
前記右カバー２７は、前記基体１９の右側部から後側部の中央にかけて略Ｌ字形状に覆うことにより、基体１９の右側に配設した除湿ロータ１３および熱交換機を覆うもので、縦方向に延びる複数のスリットからなる吸気口２８が設けられている。
【００１９】
前記上面カバー２９は、基体１９の上面を覆うもので、その前部には複数の入力手段であるスイッチおよび表示手段であるＬＥＤを配設した操作パネル３０が配設されている。この上面カバー２９には、前記隔壁２０の上端開口に対応する左側部分に、回動可能なルーバー３１が配設されている。また、この上面カバー２９には、中央から右側部分にかけて平面視略凹字形状をなし、内向きに窪んだハンドル収容部３２が設けられている。このハンドル収容部３２の両端は、前記基体１９の軸受部２１Ａ，２１Ｂと対応しており、その両端底部にハンドル３５の腕部３７を貫通させるための貫通孔３３が設けられている。また、このハンドル収容部３２の端部側壁には、前記軸受部２１Ａ，２１Ｂの軸部材２３を挿通する逆Ｕ字形状の軸挿通孔３４が設けられている。
【００２０】
前記ハンドル３５は、ユーザが把持するための把持部３６の両端に腕部３７を設けた略凹字形状のものである。この腕部３７の先端には、前記軸受部２１Ａ，２１Ｂに軸着するための取付部３８が設けられている。この取付部３８には、図１に示すように該ハンドル３５の直立させた状態で、右側に位置する下面部から下向きに傾斜し、その先端部分が更に垂直下向きに屈曲する略Ｌ字形状の挿通溝３９が設けられ、この挿通溝３９の先端から前記軸受部２１Ａ，２１Ｂの軸部材２３を引っ掛けるようにして挿通させることにより、軸着できるように構成している。また、この取付部３８の先端には、ハンドル収容部３２の端壁３２ａに当接することにより、挿通溝３９の開口が軸部材２３の上方に位置することを防止する凸部４０が設けられている。
【００２１】
前記下カバー４１は、前記基体１９の下部において両側部および後側部を覆う平面視略Ｕ字形状のものである。また、前記底部材４２は、前記下カバー４１の下側を覆う略長楕円形状のものである。そして、本実施形態では、前記基体１９の底と、これら下カバー４１および底部材４２により、前記タンク１８を収容するタンク収容部を構成する。
【００２２】
このように構成した除湿機のハンドル３５は、上面カバー２９を基体１９に対して固定していない状態で、上面カバー２９のハンドル収容部３２の貫通孔３３にハンドル３５の腕部３７を貫通させる。そして、挿通溝３９の開口が下側に位置するように、ハンドル３５を右側に傾斜させ、基体１９に設けた軸受部２１Ａ，２１Ｂの軸部材２３にハンドル３５の挿通溝３９を挿通させる。
【００２３】
ついで、図４（Ａ）に示すように、ハンドル３５を直立させ、上面カバー２９を基体１９に固定する。これにより、図４（Ｂ）に示すように、上面カバー２９のハンドル収容部３２に回転可能に収容させるように、ハンドル３５を基体１９に対して軸着することができる。
【００２４】
この取付状態において、図３に示すように、ハンドル３５をハンドル収容部３２に収容させた状態では、前記凸部４０が端壁３２ａに当接することにより、ハンドル収容部３２の端部に貫通された軸部材２３からハンドル３５が離脱することを防止できる。また、ハンドル３５を直立させた状態では、ハンドル３５が端壁３２ａに当接することにより、前記と同様に軸部材２３からハンドル３５が離脱することを防止できる。
【００２５】
しかも、本実施形態では、ハンドル３５を軸着するための軸受部２１Ａ，２１Ｂを、複数の負荷部品を固定するための基体１９に設けるため、該軸受部２１Ａ，２１Ｂの強度を十分に確保することができる。そして、この重量物である基体１９を直接的に持ち上げる構成としているため、表面カバーであるいずれのカバーにも余計な負荷が加わることもなく、その固定部分に不要な負荷が加わることを防止できる。その結果、これらカバーからなる外装体が破損することを確実に防止できる。
【００２６】
また、ハンドル収容部３２を設けた上面カバー２９は、ハンドル３５を軸支する必要がないため、基体１９に対してネジ止めなどによる取付強度を向上するための構造は不要であり、簡易的な係止爪でよい。そのため、メンテナンス時の作業性をも向上することができる。
【００２７】
なお、本発明のハンドル取付構造は、前記実施形態の構成に限定されるものではなく、種々の変更が可能である。
【００２８】
例えば、前記実施形態では、ハンドル３５を取り付ける製品として、横倒しすることができない除湿機を用いたため、表面カバーの１つである上面カバー２９にハンドル収容部３２を設けたが、横倒しを許容する製品である場合には、他の表面カバーである左右のカバー２５，２７にハンドル収容部３２を設けてもよい。
【００２９】
勿論、前記実施形態のハンドル取付構造は、重量物である除湿機に適用したが、基体１９の表面にハンドル収容部３２を形成する表面カバーを配設する製品であれば、いずれでも適用可能であり、同様の作用および効果を得ることができる。
【図面の簡単な説明】
【００３０】
【図１】本発明の実施形態に係るハンドル取付構造を適用した除湿機を示す要部分解斜視図である。
【図２】除湿機の構成を示す概略図である。
【図３】除湿機の斜視図である。
【図４】（Ａ），（Ｂ）はハンドルの取付工程を示す斜視図である。
【符号の説明】
【００３１】
１０…除湿機本体
１３〜１７…負荷部品
１９…基体
２１Ａ，２１Ｂ…軸受部
２３…軸部材
２９…上面カバー
３２…ハンドル収容部
３２ａ…端壁
３３…貫通孔
３４…軸挿通孔
３５…ハンドル
３８…取付部
３９…挿通溝
【図１】
2006142213.tif 000003
【図２】
2006142213.tif 000004
【図３】
2006142213.tif 000005
【図４】
2006142213.tif 000006